(57)【要約】【課題】外部ストロボがカメラの傍に配置されている状態で、撮影されても撮影画像に影響を与えない撮像装置を提供すること。【解決手段】外部ストロボがカメラの傍に配置しているかどうかを判定できる外部ストロボ配置判定手段（図１のＳ４３からＳ４４）を持つカメラで、撮影後の画像センサーからの画像データ読み出し中に、前記外部ストロボ配置判定手段（図１のＳ４３からＳ４４）により、外部ストロボがカメラの傍に配置していると判定された場合は、画像データ読み出し中は、プリ発光を含むストロボ発光を禁止することを特徴とする。【選択図】図１
2017125979.tif 000002
【特許請求の範囲】
【請求項１】
外部ストロボがカメラの傍に配置しているかどうかを判定できる外部ストロボ配置判定手段（図１のＳ４３からＳ４４）を持つカメラで、撮影後の画像センサーからの画像データ読み出し中に、前記外部ストロボ配置判定手段（図１のＳ４３からＳ４４）により、外部ストロボがカメラの傍に配置していると判定された場合は、画像データ読み出し中は、プリ発光を含むストロボ発光を禁止することを特徴とする撮像装置。
【請求項２】
撮影時のＩＳＯ感度が所定値よりも高いかどうかを判定する手段（図１のＳ４１）があり、前記判定手段によりＩＳＯ感度が所定値より高いと判断された場合に、プリ発光を含むストロボ発光を禁止することを特徴とする請求項１に記載の撮像装置。
【請求項３】
外部ストロボの種類を特定する手段（図１のＳ４５）があり、外部ストロボが特定ストロボと判定された場合に、プリ発光を含むストロボ発光を禁止することを特徴とする請求項１又は請求項２に記載の撮像装置。
【発明の詳細な説明】
【技術分野】
【０００１】
本発明は、撮像装置に関し、特にストロボ撮影する場合の撮像シーケンスに関する。
【背景技術】
【０００２】
従来、ストロボを使用したカメラ装置では、ストロボの発光ノイズや充電ノイズを考慮して、発光・充電の禁止や排他制御をしている。
【０００３】
特許文献１には、フィルムカートリッジに情報入力する場合は、ストロボ発光手段の動作を禁止することが開示されている。特許文献２には、被写体を露光する蓄積とダーク蓄積をすることで、ダークノイズ補正機能を持つ撮像装置において、照明装置の充電電流の供給中は、ダーク蓄積をしないことが開示されている。
【先行技術文献】
【特許文献】
【０００４】
【特許文献１】特開平９−１９７５０４号公報
【特許文献２】特開２０００−３５００７４号公報
【発明の概要】
【発明が解決しようとする課題】
【０００５】
しかしながら、上述の特許文献に開示された従来技術では、外部ストロボの発光と画像センサーの読み出しに関しての言及はしていない。
【０００６】
カメラから外された状態で発光が可能な外部ストロボにおいて、外部ストロボの発光部がカメラの傍で発光された時に、カメラが画像センサーから画像データの読み出し中だと外部ストロボのトリガノイズが、画像データに影響を与えてしまう可能性がある。
【０００７】
そこで、本発明の目的は、外部ストロボがカメラの傍に配置されて撮影されても画像データに影響を与えない撮像装置を提供することにある。
【課題を解決するための手段】
【０００８】
上記の目的を達成するために、本発明に係る撮像装置は、
外部ストロボがカメラの傍に配置しているかどうかを判定できる外部ストロボ配置判定手段（図１のＳ４３からＳ４４）を持つカメラで、撮影後の画像センサーからの画像データ読み出し中に、前記外部ストロボ配置判定手段（図１のＳ４３からＳ４４）により、外部ストロボがカメラの傍に配置していると判定された場合は、画像データ読み出し中は、プリ発光を含むストロボ発光を禁止することを特徴とする。
【発明の効果】
【０００９】
本発明によれば、外部ストロボがカメラの傍に配置されている状態で、撮影されても撮影画像に影響を与えない撮像装置を提供することができる。
【図面の簡単な説明】
【００１０】
【図１】発光可能判定を示すフローチャート図である。
【図２】カメラのシステム構成図を示すブロック図である。
【図３】カメラの動作を示すフローチャート図である。
【図４】カメラの撮影動作を示すフローチャート図である。
【発明を実施するための形態】
【００１１】
以下に、本発明の好ましい実施の形態を、添付の図面に基づいて詳細に説明する。
【００１２】
図１は本発明の実施形態にかかわるカメラのフローチャート図である。図２はカメラ構成のブロック図であり、図３と図４はカメラのフローチャート図である。
【実施例１】
【００１３】
以下、図１〜図４を参照して、本発明の第１の実施例による、撮像装置について説明する。
【００１４】
まず、図２のカメラのブロック図において、カメラの構成について説明する。
【００１５】
１０１は撮影シーケンスなどシステムを制御するためのカメラのマイクロコントローラ、１０３は被写体からの反射光を電気信号に変換するＣＣＤやＣＭＯＳ等のイメージセンサ（撮像素子）である。１０２は撮像素子１０３を動作させるために必要なタイミング信号を発生するタイミング信号発生回路である。１０４は撮像素子から読み出されたアナログ画像データをデジタル画像データに変換するＡ／Ｄ変換器、１０５はメモリの読み書きやバッファメモリ１０６のリフレッシュ動作などを制御するためのメモリコントローラである。
【００１６】
１０７はバッファメモリに蓄えられた画像データを表示する画像表示部、１０８は記録媒体との接続のためのインターフェイス、１０９はメモリカードやハードディスクなどの記録媒体である。モーター制御部１１０は、露出動作時にＭＰＵ１０１からの信号に従って不図示のモーターを制御することにより、不図示のミラーのアップ・ダウンやシャッターのチャージを行わせる。シャッター制御部１１１は、ＭＰＵ１０１からの信号に従って、不図示のシャッター先幕、シャッター後幕の通電をカットし幕走行させ、露出動作を制御する。
【００１７】
測光部１１２は、画面内の各エリアの輝度信号として、画面内を複数のエリアに分割した多分割測光センサー１１３からの出力をＭＰＵ１０１に出力する。ＭＰＵ１０１はこの輝度信号を不図示のＡ／Ｄ変換器により変換を行い、撮影の露出調節のためのＡＶ（絞り値）、ＴＶ（シャッタースピード）、ＩＳＯ（撮像素子の感度）等の測光演算を行う。また、測光部１１２は同様に、外部ストロボ１１９にて被写体へ向けて予備（プリ）発光した時の輝度信号をＭＰＵ１０１に出力し、ＭＰＵ１０１はこの輝度信号により、露出時のストロボメイン発光量の演算も行う。
【００１８】
レンズ制御部１１４は、不図示のレンズマウント接点を介して外部装着レンズとＭＰＵ１０１とを通信し、不図示のレンズ駆動モーター及びレンズ絞りモーターを動作させ、レンズの焦点調節と絞りを制御している。１１５は焦点検出部で、ＡＦ（オートフォーカス）のための被写体に対するデフォーカス量を検出する機能を有する。１１６は姿勢検出部で重力方向と光軸を中心とした回転方向に対するカメラの傾きを検出する。
【００１９】
１１７はカメラの操作部材でＳＷ１は、不図示のレリーズボタンの第１ストロークでＯＮし、ＡＦおよび測光を開始させる。ＳＷ２は、レリーズボタンの第２ストロークでＯＮし、露出動作を開始させる。ＳＷ１，ＳＷ２及びその他不図示のカメラの操作部材からの信号は、スイッチ操作部１１７が検知し、ＭＰＵ１０１に信号を送る。ストロボ制御部１１８では、発光パターン（プリ発光指示ｏｒメイン発光指示）や、メイン発光量等の発光処理を行う。
【００２０】
１１９は外部ストロボインターフェイスで、外部ストロボがカメラに装着されていた場合に、このインターフェイスを介して、外部ストロボと通信を行う。１２０は無線制御部で、外部ストロボと無線で接続されていた場合に、この無線制御部を介して外部ストロボと通信を行う。１２１は、近距離無線制御部で、近距離無線可能なアクセサリ（外部ストロボを含む）と通信を行うことができる。
【００２１】
次に、図３のカメラのメインフローチャートを説明する。
【００２２】
この処理はカメラのマイクロコントローラ１０１によって実行される。
【００２３】
Ｓ０１において、レジスタの初期化、データの初期化（ＲＡＭ情報のクリアを含む）、周辺部の初期化等の初期設定を行う。
【００２４】
Ｓ０２において、スイッチ操作部１１７からＳＷ１，ＳＷ２、及びその他不図示のカメラの操作部材の状態を検出する。
【００２５】
Ｓ０３において、カメラの動作電源ＳＷ（不図示）がオンであるか否かを判別し、もしカメラの動作電源ＳＷがオンである場合、Ｓ０５へ移行する。一方、カメラの動作電源ＳＷがオフである場合、マイクロコントローラ１０１は、カメラの動作を終了させるために、Ｓ０４へ移行し、周辺回路への電源オフの指示やデータの退避等の終了設定を行い、本処理を終了する。
【００２６】
Ｓ０５において、カメラに装着しているストロボや無線にて接続しているストロボと通信を行い、カメラ側の各種情報の送信やストロボ側の各種情報を受信する。
【００２７】
Ｓ０６において、マイクロコントローラ１０１は、ＳＷ１がオフかオンかを判定する。オフがあれば、Ｓ０２へ移行し、オンならばＳ０７へ移行する。
【００２８】
Ｓ０７において、マイクロコントローラ１０１は、被写体に焦点を合わせるために、図２の焦点検出部１１５からのデフォーカス量を元に、周知の位相差検出方式による測距演算を行う。
【００２９】
Ｓ０８において、マイクロコントローラ１０１は、前述した測距演算によるデータをもとに、レンズ駆動量を算出してレンズを駆動する。
【００３０】
Ｓ０９において、測光部１１２からの出力、設定されたＩＳＯ感度、撮影モード等のカメラ設定情報から、シャッタースピード（ＣＭＯＳ蓄積時間）、絞り値等を決定するための測光演算処理を行う。
【００３１】
Ｓ１０において、測光演算を行った後、マイクロコントローラ１０１は、測光演算等により求められたシャッター秒時、絞り値、ストロボの充完情報等のカメラの情報を画像表示部１０７に表示する。
【００３２】
Ｓ１１において、撮影操作ＳＷ、つまり撮影開始スイッチ（ＳＷ２）がオンであるか否かを判別する。撮影操作ＳＷがオンである場合、Ｓ１２へ移行する。そうでなければ、Ｓ０２へ戻る。
【００３３】
Ｓ１２において、静止画の撮影動作を行い、Ｓ０２へ戻る。ここで、図４のフローチャート図で、撮像動作を詳細に説明する。
【００３４】
図４のＳ２１において、ストロボ発光可能判定を行う。ここで、図１のフローチャート図により、ストロボ可能判定を詳細に説明する。
【００３５】
図１のＳ４０にて、カメラがストロボと接続されているか判定をして、もし接続されていなければ、Ｓ４６へ移行する。そうでなければ、Ｓ４１へ移行する。
【００３６】
Ｓ４１において、撮影のＩＳＯ感度が、１２８００以下ならば、Ｓ４７へ移行する。そうでなければ、Ｓ４３へ移行する。ここでは、この実施例のカメラの場合は、ＩＳＯ感度が１２８００以下ならば、ストロボ発光ノイズによる画像の影響が少ないので、ＩＳＯ感度が１２８００以下ならば、除外している。
【００３７】
Ｓ４２において、イメージセンサからの画像データ読み出し中かどうかを判断し、もし読出し中でないならば、Ｓ４７へ移行し、そうでなければ、Ｓ４３へ移行する。
【００３８】
Ｓ４３において、近距離無線通信を行う。また、近距離無線により、ストロボ情報（ストロボＩＤを含む）を受信する。
【００３９】
Ｓ４４において、Ｓ４３での近距離無線通信の結果、外部ストロボと近距離無線通信ができていなければ、外部ストロボはカメラの傍にないと判定し、Ｓ４７へ移行する。そうでなければ、Ｓ４５へ移行する。この実施例では、外部ストロボがカメラの傍に配置しているかどうかを判定する手段として、近距離無線を使用している。
【００４０】
Ｓ４５において、近距離無線により、受信したストロボＩＤが、所定のＩＤでなければ、Ｓ４７へ移行する。そうでなければ、Ｓ４６へ移行する。ここでは、発光ノイズが大きい特定のストロボを判別し、カメラに近づけても影響のないストロボは、除外している。
【００４１】
Ｓ４６において、ストロボ発光を禁止してリターンする。
【００４２】
Ｓ４７において、ストロボ発光を許可してリターンする。
【００４３】
図４に戻って、Ｓ２２において、Ｓ２１の発光可能判定でストロボ発光可能ならば、Ｓ２３へ移行し、外部ストロボのプリ発光を行い、プリ発光時とプリ発光しない時との測光差分により、レリーズ時のストロボ発光量を決定する。ストロボ発光可能でなければ、Ｓ２４へ移行する。
【００４４】
Ｓ２４において、ミラー制御回路に指示を出し、ミラーアップを開始する。
【００４５】
Ｓ２５において、レンズに絞り量を通知して絞りを駆動する。
【００４６】
Ｓ２６において、イメージセンサの読出し中ならば、読出しが完了するまで待ち、Ｓ２７へ移行する。
【００４７】
Ｓ２７において、シャッター先幕を走行させて、イメージセンサ（撮像素子１０３）の露光が開始できる状態にする。
【００４８】
Ｓ２８において、イメージセンサの蓄積を開始する。ここでは、周知の電子シャッター制御により、蓄積開始が行われる。この時、ストロボ発光可能な場合は、ストロボ発光指示が出される。
【００４９】
Ｓ２９において、測光演算で算出されたＴｖ（蓄積時間）で、蓄積を終了させる。
【００５０】
Ｓ３０において、シャッターの後幕走行させる。
【００５１】
Ｓ３１において、イメージセンサの画像信号読み出し処理を開始する。
【００５２】
Ｓ３２において、モーター制御部に指示を出し、シャッターとミラーのチャージをする。
【００５３】
Ｓ３３において、レンズに絞りを開放にするように通知して絞り開放駆動する。
【００５４】
Ｓ３４において、測光部と焦点検出部により、測光処理と測距処理を行う。
【００５５】
Ｓ３５において、測距結果に基づいて、レンズを駆動する。
【００５６】
Ｓ３６において、撮影開始スイッチ（ＳＷ２）がオンであるか否かを判別する。撮影操作ＳＷがオンである場合、Ｓ２１へ戻り、撮影を繰り返す。そうでなければ、撮影を終了してリターンする。
【００５７】
以上が、カメラ側の動作である。
【００５８】
以上説明したように、イメージセンサの読出し中に、外部ストロボがカメラの傍に配置していると判断された場合は、ストロボ発光を禁止するので、撮影画像に外部ストロボの発光ノイズによる影響を受けないようにすることが可能である。
【００５９】
また、本実施例では、撮影時のストロボプリ発光と本発光について、記述しているが、ストロボ発光に関わるＦＥロックや、ストロボ発光によるＡＦ補助光に関しても同様に、禁止するように変形させることは可能である。
【００６０】
以上、本発明の好ましい実施形態について説明したが、本発明はこれらの実施形態に限定されず、その要旨の範囲内で種々の変形及び変更が可能である。
【符号の説明】
【００６１】
１０１  マイクロコントローラ、１０２  タイミング信号発生回路、
１０３  イメージセンサ（撮像素子）、１０４  Ａ／Ｄ変換器、
１０５  メモリコントローラ
【図１】
2017125979.tif 000003
【図２】
2017125979.tif 000004
【図３】
2017125979.tif 000005
【図４】
2017125979.tif 000006